(57)【要約】【課題】低コストで一人暮らしの老人の状況を把握することが可能であると共に、容易に緊急連絡先へ発呼を行うことが可能な通信システムを提供する。【解決手段】通信装置１００は、通信装置５００にメールを送信すると、通信装置５００は撮像部により撮影された画情報をメールに添付し、通信装置１００に送信する。一方、画情報を受信した通信装置１００の表示部には、受信された画情報が表示されると共に緊急連絡先が表示され、通信装置１００のユーザが表示されている緊急連絡先を選択することにより、選択された緊急連絡先へ発呼が行われる。【選択図】  図１
2004297496.tif 000002
【特許請求の範囲】
【請求項１】
画情報を送信するように指示する第１の通信装置と、該第１の通信装置からの指示に応じて、予め定められた宛先へ画情報を送信する第２の通信装置とが回線を介して接続されたことを特徴とする通信システム。
【請求項２】
画情報を送信するように指示する第１の通信装置と、該第１の通信装置からの指示に応じて、予め定められた宛先へ画情報を送信する第２の通信装置とが回線を介して接続された通信システムにおいて、
前記第２の通信装置は画情報を格納する格納手段を有し、
前記第１の通信装置から前記第２の通信装置へ画情報を送信するよう指示があると、前記第２の通信装置は自動的に予め定められた相手先へ前記格納手段に格納された画情報を送信することを特徴とする通信システム。
【請求項３】
画情報を送信するように指示する第１の通信装置と、該第１の通信装置からの指示に応じて、予め定められた宛先へ画情報を送信する第２の通信装置とが回線を介して接続された通信システムにおいて、
前記第２の通信装置は撮影により画情報を生成する撮像手段を有し、
前記第１の通信装置から前記第２の通信装置へ画情報を送信するよう指示があると、前記第２の通信装置は自動的に予め定められた相手先へ前記撮像手段により撮像された画情報を送信することを特徴とする通信システム。
【請求項４】
画情報を送信するように指示する第１の通信装置と、該第１の通信装置からの指示に応じて、予め定められた宛先へ画情報を送信する第２の通信装置とが回線を介して接続された通信システムにおいて、
前記第２の通信装置は、前記予め定められた宛先である前記第１の通信装置の宛先情報を格納する格納手段と、送受信手段と、該送受信手段が前記第１の通信装置からの画情報送信指示があると判定すると、前記格納手段に格納された予め定められた宛先である前記第１の通信装置へ自動的に画情報を送信するよう前記送受信手段を制御する制御手段と、を有することを特徴とする通信装置。
【請求項５】
画情報を送信するように指示する第１の通信装置と、該第１の通信装置からの指示に応じて、予め定められた宛先へ画情報を送信する第２の通信装置とが回線を介して接続された通信システムにおいて、
前記第２の通信装置は、前記第１の通信装置と異なる予め定められた宛先の宛先情報を格納する格納手段と、送受信手段と、該送受信手段が前記第１の通信装置から画情報送信指示があると判定すると、前記格納手段に格納された予め定められた宛先へ自動的に画情報を送信するよう前記送受信手段を制御する制御手段と、を有することを特徴とする通信装置。
【請求項６】
画情報を送信するように指示する第１の通信装置と、該第１の通信装置からの指示に応じて、予め定められた宛先へ画情報を送信する第２の通信装置とが回線を介して接続された通信システムにおいて、
前記第２の通信装置は、前記予め定められた宛先である前記第１の通信装置の宛先情報を格納する格納手段と、撮像手段と、送受信手段と、該送受信手段が前記第１の通信装置からの画情報送信指示があると判定すると、前記格納手段に格納された予め定められた宛先である前記第１の通信装置へ前記撮像手段により生成された画情報を自動的に送信するよう前記送受信手段を制御する制御手段と、を有することを特徴とする通信装置。
【請求項７】
画情報を送信するように指示する第１の通信装置と、該第１の通信装置からの指示に応じて、予め定められた宛先へ画情報を送信する第２の通信装置とが回線を介して接続された通信システムにおいて、
前記第２の通信装置は、前記第１の通信装置と異なる予め定められた宛先の宛先情報を格納する格納手段と、撮像手段と、送受信手段と、該送受信手段が前記第１の通信装置からの画情報送信指示があると判定すると、前記格納手段に格納された予め定められた宛先へ自動的に前記撮像手段により生成された画情報を送信するよう前記送受信手段を制御する制御手段と、を有することを特徴とする通信装置。
【請求項８】
画情報を送信するように指示する第１の通信装置と、該第１の通信装置からの指示に応じて、予め定められた宛先へ画情報を送信する第２の通信装置とが回線を介して接続された通信システムにおいて、
前記第２の通信装置は、前記第１の通信装置の宛先情報を格納する格納手段と、撮像手段と、該撮像手段により生成された画情報を格納する画情報メモリと、送受信手段と、該送受信手段が前記第１の通信装置からの画情報送信指示があると判定すると、前記第１の通信装置へ自動的に前記画情報メモリに格納されている画情報をメール送信するよう前記送受信手段を制御する制御手段と、を有することを特徴とする通信装置。
【請求項９】
画情報を送信するように指示する第１の通信装置と、該第１の通信装置からの指示に応じて、予め定められた宛先へ画情報を送信する第２の通信装置とが回線を介して接続された通信システムにおいて、
前記第２の通信装置は、前記第１の通信装置と異なる予め定められた宛先の宛先情報を格納する格納手段と、撮像手段と、該撮像手段により生成された画情報を格納する画情報メモリと、送受信手段と、該送受信手段が前記第１の通信装置からの画情報送信指示があると判定すると、前記格納手段に格納された予め定められた宛先へ自動的に前記画情報メモリに格納されている画情報をメール送信するよう前記送受信手段を制御する制御手段と、を有することを特徴とする通信装置。
【請求項１０】
請求項１〜９の通信装置であり、前記指示はメール送信により行われることを特徴とする通信装置。
【発明の詳細な説明】
【０００１】
【発明の属する技術分野】
本発明は、通信装置及び通信システムに関する。
【０００２】
【従来の技術】
近年の通信装置、例えばファクシミリ装置は、ファクシミリ通信や通話が可能であるだけではなくインターネットと接続可能である。
【０００３】
又、インターネットと接続可能なファクシミリ装置に関する技術も提案されている（例えば、文献１参照）。
【０００４】
ファクシミリ装置がインターネットと接続可能となることにより、通常のファクシミリ通信だけでなく、メールの送受信やブラウザを開くことが可能となった。この為、ユーザが様々な情報を利用できるようになり、非常に便利になったといえる。
【０００５】
【特許文献１】
特開平１０−１７１７３３号公報（第４頁〜第５頁及び図３）。
【０００６】
【発明が解決しようとする課題】
近年の高齢化社会において、お年寄りに係る問題が数多く発生している。例えば、一人暮らしのお年寄りが誰も知らない間に部屋で倒れ、救急車で運ばれることなく死亡する事件等が発生している。
【０００７】
このような問題を解決する為には、家族がお年寄りと住むと良いのだが、様々な家庭の事情によりお年寄りを一人暮らしさせるしかない場合がある。又、身寄りのないお年寄が一人暮らしをしている場合、ホームヘルパーがお年寄りを訪ねることにより、お年寄りの身の安全を確認することが可能であるが、ホームヘルパーも一日中お年寄りと一緒にいるわけにも行かず、完全にお年寄りの安全を確保できるものではない。
【０００８】
又、お年寄りの部屋にテレビカメラを設置することも考えられるが、コストがかかる為に現実的ではない。
【０００９】
このような問題を解決する為に、少ないコストでお年寄りを監視できるシステムを提供することが望ましい。
【００１０】
【課題を解決するための手段】
本発明はこのような課題を解決する為のものであり、請求項１記載の通信システムは、画情報を送信するように指示する第１の通信装置と、該第１の通信装置からの指示に応じて、予め定められた宛先へ画情報を送信する第２の通信装置とが回線を介して接続されたことを特徴とする。
【００１１】
請求項２記載の通信システムは、画情報を送信するように指示する第１の通信装置と、該第１の通信装置からの指示に応じて、予め定められた宛先へ画情報を送信する第２の通信装置とが回線を介して接続された通信システムにおいて、  前記第２の通信装置は画情報を格納する格納手段を有し、前記第１の通信装置から前記第２の通信装置へ画情報を送信するよう指示があると、前記第２の通信装置は自動的に予め定められた相手先へ前記格納手段に格納された画情報を送信することを特徴とする。
【００１２】
請求項３記載の通信システムは、画情報を送信するように指示する第１の通信装置と、該第１の通信装置からの指示に応じて、予め定められた宛先へ画情報を送信する第２の通信装置とが回線を介して接続された通信システムにおいて、  前記第２の通信装置は撮影により画情報を生成する撮像手段を有し、前記第１の通信装置から前記第２の通信装置へ画情報を送信するよう指示があると、前記第２の通信装置は自動的に予め定められた相手先へ前記撮像手段により撮像された画情報を送信することを特徴とする。
【００１３】
請求項４記載の通信装置は、画情報を送信するように指示する第１の通信装置と、該第１の通信装置からの指示に応じて、予め定められた宛先へ画情報を送信する第２の通信装置とが回線を介して接続された通信システムにおいて、前記第２の通信装置は、前記予め定められた宛先である前記第１の通信装置の宛先情報を格納する格納手段と、送受信手段と、該送受信手段が前記第１の通信装置からの画情報送信指示があると判定すると、前記格納手段に格納された予め定められた宛先である前記第１の通信装置へ自動的に画情報を送信するよう前記送受信手段を制御する制御手段と、を有することを特徴とする。
【００１４】
請求項５記載の通信装置は、画情報を送信するように指示する第１の通信装置と、該第１の通信装置からの指示に応じて、予め定められた宛先へ画情報を送信する第２の通信装置とが回線を介して接続された通信システムにおいて、前記第２の通信装置は、前記第１の通信装置と異なる予め定められた宛先の宛先情報を格納する格納手段と、送受信手段と、該送受信手段が前記第１の通信装置から画情報送信指示があると判定すると、前記格納手段に格納された予め定められた宛先へ自動的に画情報を送信するよう前記送受信手段を制御する制御手段と、を有することを特徴とする。
【００１５】
請求項６記載の通信装置は、画情報を送信するように指示する第１の通信装置と、該第１の通信装置からの指示に応じて、予め定められた宛先へ画情報を送信する第２の通信装置とが回線を介して接続された通信システムにおいて、前記第２の通信装置は、前記予め定められた宛先である前記第１の通信装置の宛先情報を格納する格納手段と、撮像手段と、送受信手段と、該送受信手段が前記第１の通信装置からの画情報送信指示があると判定すると、前記格納手段に格納された予め定められた宛先である前記第１の通信装置へ前記撮像手段により生成された画情報を自動的に送信するよう前記送受信手段を制御する制御手段と、を有することを特徴とする。
【００１６】
請求項７記載の通信装置は、画情報を送信するように指示する第１の通信装置と、該第１の通信装置からの指示に応じて、予め定められた宛先へ画情報を送信する第２の通信装置とが回線を介して接続された通信システムにおいて、前記第２の通信装置は、前記第１の通信装置と異なる予め定められた宛先の宛先情報を格納する格納手段と、撮像手段と、送受信手段と、該送受信手段が前記第１の通信装置からの画情報送信指示があると判定すると、前記格納手段に格納された予め定められた宛先へ自動的に前記撮像手段により生成された画情報を送信するよう前記送受信手段を制御する制御手段と、を有することを特徴とする。
【００１７】
請求項８記載の通信装置は、画情報を送信するように指示する第１の通信装置と、該第１の通信装置からの指示に応じて、予め定められた宛先へ画情報を送信する第２の通信装置とが回線を介して接続された通信システムにおいて、前記第２の通信装置は、前記第１の通信装置の宛先情報を格納する格納手段と、撮像手段と、該撮像手段により生成された画情報を格納する画情報メモリと、送受信手段と、該送受信手段が前記第１の通信装置からの画情報送信指示があると判定すると、前記第１の通信装置へ自動的に前記画情報メモリに格納されている画情報をメール送信するよう前記送受信手段を制御する制御手段と、を有することを特徴とする。
【００１８】
請求項９記載の通信装置は、画情報を送信するように指示する第１の通信装置と、該第１の通信装置からの指示に応じて、予め定められた宛先へ画情報を送信する第２の通信装置とが回線を介して接続された通信システムにおいて、前記第２の通信装置は、前記第１の通信装置と異なる予め定められた宛先の宛先情報を格納する格納手段と、撮像手段と、該撮像手段により生成された画情報を格納する画情報メモリと、送受信手段と、該送受信手段が前記第１の通信装置からの画情報送信指示があると判定すると、前記格納手段に格納された予め定められた宛先へ自動的に前記画情報メモリに格納されている画情報をメール送信するよう前記送受信手段を制御する制御手段と、を有することを特徴とする。
【００１９】
請求項１０記載の通信装置は、請求項１〜９の通信装置であり、前記指示はメール送信により行われることを特徴とする。
【００２０】
【発明の実施の形態】
本発明を適用してなる実施例装置は、第２のファクシミリ装置が第１のファクシミリ装置から着信或いはメールの受信があると判定すると、前記第２のファクシミリ装置は、室内の画像を前記第１のファクシミリ装置へ送信し、更に、前記第１のファクシミリ装置のユーザは画像の表示中に簡単な操作で緊急連絡先へ連絡可能とするものである。
【００２１】
先ず、本発明を適用してなる実施例装置を用いた通信システムについて説明する。
【００２２】
図１は、本実施例である実施例装置を用いた通信システム図である。
【００２３】
図１において、通信装置（例えば、ファクシミリ装置）１００は回線Ｌを介してメールサーバ２００と接続されている。
【００２４】
前記メールサーバ２００は、データの中継や変換等を行うゲートウエイ３００と接続され、前記ゲートウエイ３００は、インターネット網４００と接続されている。
【００２５】
前記インターネット網４００には、有線回線を介して通信装置５００が接続されており、通信装置１００はメールサーバ２００、ゲートウエイ３００、インターネット網４００を介して通信装置５００とメールの送受信を行うことができる。
【００２６】
通信装置１００が、例えば通信装置５００からのメールを受信する際には、通信装置５００から送信されたメールがインターネット網４００及びゲートウエイ３００を介してメールサーバ２００に一旦格納される。メールサーバ２００へメールが格納されると、メールサーバ２００から通信装置１００へメールが来たことが報知される（メール通知）。
【００２７】
尚、通信装置１００からメールサーバ２００へアクセスし、メールの着信を調べることも可能である。
【００２８】
次に、通信装置１００は、メールサーバ２００へアクセスすることにより、メールサーバ２００からメール本文を受信することが可能である。
【００２９】
一方、通信装置１００から通信装置５００へメールを送信する際には、通信装置１００からメールサーバ２００へメールを送信し、送信されたメールはメールサーバ２００へ一旦格納される。前記メールサーバ２００へ格納されたメールは、ゲートウエイ３００、インターネット網４００を介して、通信装置５００又は通信装置５００と接続可能なメールサーバ（図示せず）へ送信される。
【００３０】
尚、図１において、例えば、通信装置５００がおばあちゃんの家に配置されており、通信装置１００がおばあちゃんの家族（例えば、おばあちゃんの息子、娘等）の家に配置されているとする。
【００３１】
次に、本発明を適用してなる実施例装置である通信装置１００、５００について以下に説明する。
【００３２】
尚、前記通信装置１００、５００は同一の装置である。
【００３３】
図２は、図１に示す通信装置１００、５００のブロック図である。
【００３４】
図２において、制御部１０１は、半導体マイクロプロセッサからなり、例えばＲＯＭ（Ｒｅａｄ  Ｏｎｌｙ  Ｍｅｍｏｒｙ）からなる第１格納部１０２に格納されているシステムプログラムに基づいて以下で説明する各回路の制御を司る。
【００３５】
又、前記制御部１０１は、ＣＮＧ信号やＤＩＳ信号等のファクシミリ制御信号、メール件数、メール本文等の送受信や、サーバにメールが着信していることを示す着信通知信号の受信を行うモデム１０４を内蔵している。
【００３６】
更に、前記制御部１０１は音声合成部１０３を有しており、前記音声合成部１０３は、前記モデム１０４が受信したメール本文を、後述する第３格納部１１８に格納されている音素片データに基づいて音声データに変換する。
【００３７】
着信検出部１０５は、回線Ｌと接続され、回線Ｌからの１６Ｈｚの着信信号を検出し、極性反転検出部１０６は、回線Ｌの極性反転を検出する。
【００３８】
回線Ｌと接続されたダイオードブリッジ１０７は、極性反転時に装置内部に急激な電圧変化が起こることを防ぐ。
【００３９】
網制御部１０８は、制御部１０１の制御の下で回線Ｌの閉結及び開放を行う。
【００４０】
クロスポイント回路１０９は、制御部１０１の制御の下で、前記網制御部１０８や後述するハンドセット１１０及びＤＡＣ１１２との間で音声信号やファクシミリデータやメール件数及びメール内容等のデータの経路切換を行う。
【００４１】
ハンドセット１１０は前記クロスポイント回路１０９と接続され、フック検出部１１１は、前記ハンドセット１１０のフック状態を検出する。
【００４２】
ＤＡＣ（Ｄｉｇｉｔａｌ  Ａｎａｌｏｇ  Ｃｏｎｖｅｒｔｅｒ）１１２は、前記クロスポイント回路１０９から入力したアナログ信号をデジタル信号に変換して前記モデム１０４に出力する機能と、前記モデム１０４から入力したデジタル信号をアナログ信号に変換し前記クロスポイント回路１０９へ出力する機能とを有している。
【００４３】
読取部１１３は、例えば、ＣＣＤ（Ｃｈａｒｇｅ  Ｃｏｕｐｌｅｄ  Ｄｅｖｉｃｅ）読取装置からなり、制御部１０１の制御の下で画情報の読取を行う。
【００４４】
印字部１１４は、例えば、インクジェット方式や感熱紙方式等の周知の方式を利用した印字装置からなり、制御部１０１の制御の下で画情報の印刷を行う。
【００４５】
表示部１１５は、例えば液晶表示装置からなり、制御部１０１の制御の下で、メールの件名及びメール本文をはじめとする種々の表示を行う。
【００４６】
入力部１１６は、テンキー、機能キー、選択キー、メール送信キー、メール作成キー等のキーを有している。
【００４７】
第２格納部１１７は、例えば不揮発性のフラッシュメモリからなり、メールの着信通知が来たか否かを示す情報や、メール本文のデータ、メール件名、送信側アドレス、サーバ２００のメール受信日時を表わすタイムスタンプ等を複数件分格納可能であると共に、後述する撮像部１２２が撮像した画像や、所定のメール送信元のメールアドレスや画像の送信先メールアドレス、送信する画情報は静止画か或いは動画であるかといった情報、緊急連絡先の電話番号やメールアドレス等を格納する。
【００４８】
第３格納部１１８は、例えばフラッシュメモリからなり、メール文章を作成する為の英数字、ひらがな、カタカナ、漢字、記号等の辞書データを格納する。
【００４９】
アンプ１１９と接続されたスピーカ１２０は、着信音や、音声合成部１０３で音声合成されたデータを出力する。
【００５０】
制御部１０１内部に配置された画像処理部１２１は、後述する撮像部１２２から入力したアナログ画情報をデジタル画情報に変換する機能や、圧縮、符号化処理の機能や、画情報を再生する機能等有する。
【００５１】
撮像部１２２は、例えばＣＣＤ（Ｃｈａｒｇｅ  Ｃｏｕｐｌｅｄ  Ｄｅｖｉｃｅ）からなり、画像を撮影する。
【００５２】
先ず、本実施例装置では、予め図１に示す通信装置５００に、所定のメールアドレスを設定すると共に、前記所定のメールアドレスからのメール受信の際に撮像部１２２で撮像された画情報を送信する宛先を設定する。
【００５３】
図３はその設定動作を示すフロー図である。又、図４は、図３の設定動作の実行中における表示部１１５の表示画面である。
【００５４】
先ず、図３のＳ１ステップにおいて、所定のメールアドレスを設定する。
【００５５】
図３のＳ１ステップにおける設定は、図４（ａ）〜（ｅ）の表示形態に対応している。図３に示すＳ１ステップの動作を図４を用いて具体的に説明する。
【００５６】
尚、このとき、図４の（ａ）に示すように、（１）メールの送信元のメールアドレス（例えば、通信装置１００のメールアドレス）と画像を添付したメールを送信する宛先のメールアドレス（例えば、通信装置１００のメールアドレス）とが同一の場合と、（２）メールの送信元のメールアドレス（例えば、通信装置１００のメールアドレス）と画像を添付したメールを送信する宛先のメールアドレス（例えば、図１に図示していない他のパーソナルコンピュータ等）とが異なる場合の２通りの設定が可能である。
【００５７】
図４の（ａ）において、（１）が選択されると、図４（ｂ）において、メールの送信元のメールアドレス（画像添付メールの送信先アドレス）が入力され、入力部１１６から決定の操作が行われると図４（ｆ）へ表示が切り替わる。
【００５８】
一方、図４（ａ）において、（２）が選択されると、図４（ｃ）において、先ず送信元のメールアドレスが入力され、入力部１１６から決定の操作が行われると図４（ｄ）へ表示が切り替わり、画像添付メールの送信先アドレスが入力され、入力部１１６から決定の操作が行われると、図４（ｅ）に示すように送信元のメールアドレスと画像添付メールの送信先アドレスとが確認の為に表示され、入力部１１６から決定の操作が行われると図１のＳ１ステップの設定が終了する。
【００５９】
続く図３のＳ２ステップにおいて、送信する画情報が動画であるか静止画であるかが選択される。
【００６０】
具体的には、図４（ｆ）に示すように、ユーザがカーソル１２３を「静止画」或いは「動画」に移動させ、入力部１１６から決定の操作が行われると、図４（ｇ）に示すように設定が完了した旨の表示が表示部１１５に表示される。
【００６１】
尚、これらメールアドレスの情報は、静止画或いは動画を送信することを示す情報と対応付けられて、第２格納部１１７に格納される。
【００６２】
このように所定のメールアドレスと画情報が添付されたメールの送信先アドレスが設定されると、通信装置５００は、例えば通信装置１００からのメール着信時に、図５に示すフロー図の動作を行う。
【００６３】
図５は通信装置５００の動作を示すフロー図である。図５に示す動作を制御部１０１の動作に基づいて以下に説明する。
【００６４】
Ｓ１０ステップにおいて、制御部１０１は、ダイオードブリッジ１０７、網制御部１０８、クロスポイント回路１０９、ＤＡＣ１１２、を介してモデム１０４が回線Ｌからメール通知信号を受信したと判定するとＳ１１ステップへ処理を進める。前記メール通知信号とは、自機宛てのメールがメールサーバ２００に届いたか否かを示す信号である。
【００６５】
Ｓ１１ステップでは、制御部１０１は、モデム１０４を制御することにより自動的に回線Ｌからのメールデータを受信させ、受信したメールデータを第２格納部１１７に格納する。
【００６６】
続くＳ１２ステップでは、制御部１０１は、網制御部１０８を制御することにより回線Ｌを断とさせ、Ｓ１３ステップへ処理を進める。
【００６７】
続くＳ１３ステップでは、制御部１０１は、前記Ｓ１１ステップで受信したメールの送信元メールアドレスと、第２格納部１１７に格納されている送信元のメールアドレス（図３、図４で設定された送信元メールアドレス）とが一致すると判定するとＳ１４ステップへ処理を進め、そうでなければＳ１０ステップへ処理を戻す。
【００６８】
Ｓ１５ステップでは、制御部１０１は、第２格納部１１７に、動画を添付ファイルで送信することを示す情報が格納されていると判定すると、Ｓ１５ステップへ処理を進め、一方、静止画を添付ファイルで送信することを示す情報が格納されていると判定すると、Ｓ１８ステップへ処理を進める。
【００６９】
Ｓ１５ステップでは、制御部１０１は、撮像部１２２からの動画の情報を画像処理部１２１でデジタル信号に変換した後に圧縮し、第２格納部１１７に格納する。
【００７０】
尚、前記Ｓ１５ステップにおいて、撮像部１２２からの動画の画情報は、例えばＭＰＥＧ（Ｍｏｖｉｎｇ  Ｐｉｃｔｕｒｅ  Ｃｏｄｉｎｇ  ＥｘｐｅｒｔＳ  Ｇｒｏｕｐ）形式で圧縮される。
【００７１】
Ｓ１６ステップでは、制御部１０１は、モデム１０４を制御することにより、第２格納部１１７に格納されている画像データを第２格納部１１７に予め格納されているメール送信先（図３、図４で設定された宛先）に対してメールの添付ファイルとして送信する。
【００７２】
尚、前記Ｓ１６ステップにおいて、送信するメールの本文は予め設定されたテキスト（例えば、「おばあちゃん画像」）が送信される。
【００７３】
Ｓ１７ステップでは、制御部１０１は、網制御部１０８を制御することにより回線Ｌを断とさせ、Ｓ１０ステップへ処理を戻す。
【００７４】
Ｓ１８ステップでは、制御部１０１は、撮像部１２２からの静止画の情報を画像処理部１２１でデジタル信号に変換した後に圧縮し、第２格納部１１７に格納する。
【００７５】
尚、前記Ｓ１８ステップにおいて、撮像部１２２からの静止画の画情報は、例えばＪＰＥＧ（Ｊｏｉｎｔ  Ｐｈｏｔｏｇｒａｐｈｉｃ  Ｃｏｄｉｎｇ  ＥｘｐｅｒｔＳ  Ｇｒｏｕｐ）形式で圧縮される。
【００７６】
Ｓ１９ステップでは、制御部１０１は、モデム１０４を制御することにより、第２格納部１１７に格納されている画像データを第２格納部１１７に予め格納されているメール送信先（図３、図４で設定された宛先）に対してメールの添付ファイルとして送信する。
【００７７】
尚、前記Ｓ１９ステップにおいて、送信するメールの本文は予め設定されたテキスト（例えば、「おばあちゃん画像」）が送信される。
【００７８】
Ｓ２０ステップでは、制御部１０１は、網制御部１０８を制御することにより回線Ｌを断とさせ、Ｓ１０ステップへ処理を戻す。
【００７９】
このようにして、所定のメールアドレスからの着信があると予め定められたメールアドレス先へ静止画或いは動画の画情報が添付ファイルとして送信される。又、前記Ｓ１０ステップにおいて、所定の宛先からのメール着信があると、Ｓ１６、Ｓ１９ステップにおいて前記所定の宛先へ画情報を添付したメールを送信しても良いし、所定の宛先からのメール着信があると、前記所定の宛先とは別の宛先へ画情報を添付してメールを送信しても良い。尚、前記所定の宛先や前記別の宛先とは、図３及び図４で設定された宛先（メール送信元のメールアドレス、画像を添付したメールを送信する宛先のメールアドレス）のことである。
【００８０】
次に、通信装置１００の動作を図６及び図７を用いて以下に説明する。
【００８１】
図６は、通信装置５００側から送信された画情報を通信装置１００が受信した際の動作を示している。又、図７は添付された画情報を表示する表示部１１５の表示形態を示している。
【００８２】
図６において、Ｓ１００ステップでは、制御部１０１は、ダイオードブリッジ１０７、網制御部１０８、クロスポイント回路１０９、ＤＡＣ１１２、を介してモデム１０４が回線Ｌからメール通知信号を受信したと判定するとＳ１０１ステップへ処理を進める。前記メール通知信号とは、自機宛てのメールがメールサーバ２００に届いたか否かを示す信号である。
【００８３】
Ｓ１０１ステップでは、制御部１０１は、モデム１０４を制御することにより自動的に回線Ｌからのメールデータを受信させ、受信したメールデータを第２格納部１１７に格納する。
【００８４】
続くＳ１０２ステップでは、制御部１０１は、前記Ｓ１０１ステップで受信したメールの添付ファイルを自動的に取り出し、画像処理部１２１にて再生し、表示部１１５に表示させる。
【００８５】
尚、前記Ｓ１０２ステップにおいて、表示部１１５には、例えば図７に示すように通信装置５００の撮像部１２２が撮影した画情報が表示されると共に、緊急連絡先（例えば、病院、警察）が表示される。
【００８６】
続くＳ１０３ステップにおいて、制御部１０１は、入力部１１６から緊急連絡先へ連絡するよう指示操作があると判定するとＳ１０４ステップへ処理を進め、そうでなければＳ１０５ステップへ処理を進める。具体的には、制御部１０１は、入力部１１６から図７に示す表示部１１５のカーソル１２３を移動するよう指示があると判定すると共に選択を示す入力があると判定すると、カーソル１２３の示す連絡先が決定されたと判定し、Ｓ１０４ステップへ処理を進める。
【００８７】
Ｓ１０４ステップでは、制御部１０１は、モデム１０４を制御することにより、前記Ｓ１０３ステップで選択された連絡先（例えば、病院）に対応する電話番号を第２格納部１１７から読み込み発呼を行わせる。連絡先へ発呼し、連絡先と回線が接続されると、ユーザがハンドセット１１０を用いて緊急連絡先に通信装置５００が設置されている住所、即ち、おばあちゃんの住所を連絡すると共に、どのような状況であるかを連絡することとなる。
【００８８】
尚、前記Ｓ１０４ステップにおいて、選択された連絡先へ所定のテキスト（例えば、「鳥取市鳥取町１２３の田中まで救急車来てください」）を含んだメールを送信する構成でも良いし、更に、表示中の画像データを添付ファイルとして選択された連絡先へ送信する構成としても良い。
【００８９】
Ｓ１０５ステップにおいて、制御部１０１は、入力部１１６から終了指示があると判定すると、表示部１１５への画情報の表示を停止し、処理を終了する。
【００９０】
このように、通信装置１００から通信装置５００へメールを送信すると、通信装置５００から通信装置１００へ撮像部１２２にて撮像された画情報が送信され、通信装置１００の表示部１１５に画情報が表示される。この為、通信装置１００のユーザが通信装置５００の周辺の状況を知ることが可能である。又、ユーザが表示部１１５に表示されている緊急連絡先を選択するだけで、緊急連絡先へ発呼を行うことが可能である。
【００９１】
以上説明したように、本実施例装置では、通信装置５００が予め指定された相手先からのメールを受信すると、撮像部１２２で撮像された画像データを通信装置１００に送信し、通信装置１００の表示部１１５に送信された画像データが表示される為、通信装置１００のユーザが、通信装置５００の周囲の状況を画情報により把握することが可能である。
【００９２】
又、本実施例では、撮影部１２２で撮影された画像データが第２格納部１１７に一旦格納された後に画像データが送信される。このような構成とすることにより、画像データをメールに添付して送信することが可能である。
【００９３】
更に、通信装置５００が画像データの送信先を画像データの送信指示を行った装置（通信装置１００）以外の装置とすることが可能である。このような構成としたのは、例えば、画像データの送信指示を行った装置が携帯電話装置である場合には、携帯電話の表示部が小さい為に画像が見づらい場合がある。このような場合、携帯電話から画像データの送信指示を行い、パーソナルコンピュータで画像データを受信することにより、画像データを見やすくすることが可能である。
【００９４】
尚、本実施例では、所定の宛先からのメールを受信すると予め定められた宛先へ画情報を送信する構成としたが、所定の宛先からの電話着信があると予め定められた宛先へ画情報を送信する構成としても良く、又、所定の宛先からファクシミリ受信がると予め定められた宛先へ画情報を送信する構成としても良い。
【００９５】
又、本実施例では、通信装置１００の表示部１１５に病院や警察といった緊急連絡先が表示される構成としたが、予め定められた宛先（例えば、通信装置５００のユーザの家族）が表示される構成としても良い。
【００９６】
このような構成とすることにより、病院や警察に簡単に緊急連絡を行えるだけでなく、予め定められた宛先へ簡単に緊急事態であることを連絡することが可能である。
【００９７】
更に、表示部１１５をタッチパネルとし、ユーザがタッチパネルの緊急連絡先（例えば、「病院」）の文字に触れるだけで緊急連絡先へ発呼を行う構成としても良い。
【００９８】
このような構成とすることにより、更にユーザの発呼を行う手間を省くことが可能である。
【００９９】
又、通信装置１００の表示部１１５に病院や警察といった緊急連絡先を表示すると共に、通信装置５００のユーザの住所を表示しても良い。
【０１００】
このような構成とすることにより、通信装置１００のユーザが、病院等の緊急連絡先へ通話を行う際に、救急車が向かって欲しい住所、即ち、通信装置５００が設置してあるおばあちゃんの住所をすぐに伝えることが可能である。
【０１０１】
更に、本実施例では、緊急連絡先へ発呼を行う構成としたが、緊急連絡先へ予め定められたテキストデータをメール送信しても良いし、予め記憶しておいた音声メッセージ（例えば、「こちらは・・・です。至急、救急車をよこして下さい。」を送信する構成としても良い。
【０１０２】
このような構成とすることにより、一々通信装置１００のユーザが、通信装置５００が設置されている住所を口頭で伝える必要がない。
【０１０３】
本実施例では、動画或いは静止画をメールに添付して送信する構成としたが、予め通信装置５００の撮像部１２２が撮影している動画を見ることが可能なホームページを作成しておき、通信装置１００のユーザがホームページにアクセスすることにより、ブラウザ上で前記撮像部１２２が撮影している動画を見ることが可能としても良い。
【０１０４】
【発明の効果】
本発明では、低コストのシステムで、一人暮らしの老人の状況を把握することが可能であると共に、容易に緊急連絡先へ発呼を行うことが可能である。
【図面の簡単な説明】
【図１】本発明を適用してなる実施例装置のシステム図である。
【図２】本実施例装置のブロック図である。
【図３】本実施例装置のフロー図である。
【図４】設定時の表示部１１５の表示形態を示す図である。
【図５】本実施例装置のフロー図である。
【図６】本実施例装置のフロー図である。
【図７】表示部１１５の表示形態を示す図である。
【符号の説明】
１００  通信装置
１０１  制御部
１０４  モデム
１１５  表示部
１１７  第２格納部
１２１  画像処理部
１２２  撮像部
５００  通信装置
【図１】
2004297496.tif 000003
【図２】
2004297496.tif 000004
【図３】
2004297496.tif 000005
【図４】
2004297496.tif 000006
【図５】
2004297496.tif 000007
【図６】
2004297496.tif 000008
【図７】
2004297496.tif 000009